(57)【要約】      （修正有）【課題】予約機能により待機中のジョブについて印刷条件の変更を可能とする画像形成装置及び出力用紙枚数管理方法を提供する。【解決手段】ページ数取得手段２０１と、印刷条件受け付け手段２０２と、ページ数と印刷条件からジョブ毎に出力用紙の枚数を算出する出力枚数算出手段２０３と、出力用紙の印刷済み枚数を記憶する出力枚数記憶手段２０４と、上限枚数が記憶された上限枚数記憶手段２１０と、待機ジョブのページ数、印刷条件及び画像データを管理するジョブ管理手段２２０と、待機ジョブの印刷条件を取得するジョブ情報取得手段２０６と、出力枚数算出手段が算出した待機ジョブの出力用紙の枚数に前記印刷済み枚数を加算した値と、上限枚数を比較する比較手段２０７と、比較手段が、前記値が前記上限枚数を超えたと判定した場合、前記値が前記上限枚数以下となる、前記待機ジョブの印刷条件を提示する印刷条件提示手段２０８とを有する。【選択図】図６
2012027266.tif 000002
【特許請求の範囲】
【請求項１】
ジョブ毎に原稿のページ数を取得するページ数取得手段と、
印刷条件を受け付ける印刷条件受け付け手段と、
前記ページ数と印刷条件からジョブ毎に出力用紙の枚数を算出する出力枚数算出手段と、
所定の管理期間の前記出力用紙の印刷済み枚数を記憶する出力枚数記憶手段と、
前記出力枚数の上限を定める上限枚数が記憶された上限枚数記憶手段と、
印刷手段による印刷開始まで待機している待機ジョブのページ数、印刷条件及び画像データを管理するジョブ管理手段と、
前記待機ジョブの印刷条件を取得するジョブ情報取得手段と、
前記出力枚数算出手段が算出した前記待機ジョブの前記出力用紙の枚数に前記印刷済み枚数を加算した値と、前記上限枚数を比較する比較手段と、
前記比較手段が、前記値が前記上限枚数を超えたと判定した場合、前記値が前記上限枚数以下となる、前記待機ジョブの変更後の印刷条件を提示する印刷条件提示手段と、
を有することを特徴とする画像形成装置。
【請求項２】
前記印刷条件提示手段が提示した印刷条件に、前記待機ジョブの印刷条件を変更するジョブ情報変更手段、
を有することを特徴とする請求項１記載の画像形成装置。
【請求項３】
印刷条件の変更態様の一覧から、前記変更態様の選択を受け付ける選択受付手段を有し、
前記印刷条件提示手段は、前記選択受付手段が受け付けた前記変更態様に含まれる変更前の印刷条件を有する前記待機ジョブについて、前記選択受付手段が受け付けた変更後の印刷条件を提示する、
ことを特徴とする請求項１又は２記載の画像形成装置。
【請求項４】
変更前の印刷条件と変更後の印刷条件の組を優先度順に登録した変更テーブルの記憶手段を有し、
前記選択受付手段が受け付けた前記変更態様に含まれる変更前の印刷条件を有する前記待機ジョブが複数個ある場合、
前記印刷条件提示手段は、前記変更テーブルの優先度順に前記待機ジョブをソートする、
ことを特徴とする請求項３記載の画像形成装置。
【請求項５】
前記印刷条件提示手段は、前記選択受付手段が受け付けた前記変更態様に含まれる変更前の印刷条件を有する前記待機ジョブの印刷条件を変更しても、前記値が前記上限枚数以下とならない場合、前記変更態様を選択するか否かを問い合わせる画面を表示する、
ことを特徴とする請求項３記載の画像形成装置。
【請求項６】
前記印刷条件提示手段は、当該画像形成装置に投入された最も新しいジョブについて、
前記変更テーブルの優先度順に変更後の出力用紙の枚数を算出し、算出した出力用紙の枚数と前記印刷済み枚数を加算した値が、前記上限枚数以下となる変更前の印刷条件と変更後の印刷条件の組を決定する、
ことを特徴とする請求項４記載の画像形成装置。
【請求項７】
前記比較手段が、前記値が前記上限枚数を超えたと判定した場合、
前記印刷条件提示手段は、仮のジョブのページ数、部数及び印刷条件の入力を受け付け、前記仮のジョブの印刷条件を、前記選択受付手段が受け付けた前記変更態様に含まれる変更後の印刷条件に変更し、
前記ジョブ情報変更手段は、変更後の印刷条件を仮のジョブとして登録することで仮のジョブの出力用紙を確保する、
ことを特徴とする請求項２記載の画像形成装置。
【請求項８】
前記ジョブ情報変更手段は、原稿ページ数と出力用紙の枚数とが異なる印刷条件を、仮のジョブの印刷条件として受け付ける、
ことを特徴とする請求項７記載の画像形成装置。
【請求項９】
前記管理期間の設定を暦上の単位で受け付け、前記管理期間を複数に分割する分割期間の設定を、前記管理期間よりも短い暦上の単位で受け付け、
前記分割期間毎に前記上限枚数の割当比率を割り当てて前記分割期間毎に分割期間上限枚数を設定する上限設定手段を有する、
ことを特徴とする請求項１〜８いずれか1項記載の画像形成装置。
【請求項１０】
前記比較手段は、前記値と、現在が対応する前記分割期間の前記割当比率を前記上限枚数に乗じた前記分割期間上限枚数とを比較する、
ことを特徴とする請求項９項記載の画像形成装置。
【請求項１１】
前記上限設定手段は、
１つ以上の前記分割期間が経過した際に、前記割当比率により決定される経過した前記分割期間までの前記分割期間上限枚数よりも、出力用紙の枚数の実績が下回っている場合、前記分割期間上限枚数の余裕分をまだ経過していない前記分割期間の前記割当比率に割り振る、
ことを特徴とする請求項１０記載の画像形成装置。
【請求項１２】
所定の管理期間の出力用紙の印刷済み枚数を記憶する出力枚数記憶手段と、
前記出力枚数の上限を定める上限枚数が記憶された上限枚数記憶手段と、を有する画像形成装置の出力用紙枚数管理方法であって、
ページ数取得手段が、ジョブ毎に原稿のページ数を取得するステップと、
印刷条件受け付け手段が、印刷条件を受け付けるステップと、
出力枚数算出手段が、前記ページ数と印刷条件からジョブ毎に出力用紙の枚数を算出するステップと、
ジョブ管理手段が、印刷手段による印刷開始まで待機している待機ジョブのページ数、印刷条件及び画像データを管理するステップと、
ジョブ情報取得手段が、前記待機ジョブの印刷条件を取得するステップと、
比較手段が、前記出力枚数算出手段が算出した前記待機ジョブの前記出力用紙の枚数に前記印刷済み枚数を加算した値と、前記上限枚数を比較するステップと、
前記比較手段により前記値が前記上限枚数を超えたと判定された場合、印刷条件提示手段が、前記値が前記上限枚数以下となる、前記待機ジョブの印刷条件を提示するステップと、
を有することを特徴とする出力用紙枚数管理方法。
【発明の詳細な説明】
【技術分野】
【０００１】
本発明は、設定されている上限枚数に出力用紙の枚数を制限する画像形成装置に関し、特に、印刷条件を変更可能な画像形成装置及び出力用紙枚数管理方法に関する。
【背景技術】
【０００２】
コピー機やプリンタのランニングコストを低減するため、企業では個人毎、部署毎又は機器毎にランニングコストの上限金額を設定しておき、上限金額を超えたらコピー機やプリンタの使用を禁止することがある。
【０００３】
上限金額に達すると、原則的にはユーザはコピー機やプリンタを使用することができないが、上限金額に達する前にカラー印刷をやめ白黒印刷にしたり、集約印刷に切り替えれば、上限金額内で文書のコピーや印刷が可能な場合も少なくない。この点、使用料金が予算の上限金額に近付いた場合にその旨をユーザに警告すると共に、料金を節減できる印刷条件への設定を促す画像形成装置が考えられている（例えば、特許文献１参照。）。
【発明の概要】
【発明が解決しようとする課題】
【０００４】
ところで、コピー機等に予約コピー機能又は予約印刷機能（以下、予約機能という）が搭載されるようになってきた。予約機能により、例えばプロッタにより別の文書の印刷が実行されていても、スキャナに次の文書を読み取らせ、文書データやコピー条件を記憶手段に記憶しておき、プロッタが順番に記憶手段から文書データとコピー条件を読み取り、印刷するができるようになる。スキャナによる原稿の読み取りと、プロッタによる印刷とが独立に動作するので、ユーザは、スキャナによる読み取り後、コピー機を離れることができ、時間を有効に活用することができる。
【０００５】
予約機能が利用されるようになると、予約機能により文書データが記憶手段に記憶された状態で、使用料金が予算の上限金額に近付く場合がある。
【０００６】
特許文献１に開示された画像形成装置は、予約機能により蓄積される前のジョブについて料金を節減できる印刷条件を設定できるが、すでに蓄積されたジョブについて料金を節減できる印刷条件を設定することができないという問題がある。
【０００７】
本発明は、上記課題に鑑み、予約機能により待機中のジョブについて印刷条件の変更を可能とする画像形成装置及び出力用紙枚数管理方法を提供することを目的とする。
【課題を解決するための手段】
【０００８】
本発明は、ジョブ毎に原稿のページ数を取得するページ数取得手段と、印刷条件を受け付ける印刷条件受け付け手段と、前記ページ数と印刷条件からジョブ毎に出力用紙の枚数を算出する出力枚数算出手段と、所定の管理期間の前記出力用紙の印刷済み枚数を記憶する出力枚数記憶手段と、前記出力枚数の上限を定める上限枚数が記憶された上限枚数記憶手段と、印刷手段による印刷開始まで待機している待機ジョブのページ数、印刷条件及び画像データを管理するジョブ管理手段と、前記待機ジョブの印刷条件を取得するジョブ情報取得手段と、前記出力枚数算出手段が算出した前記待機ジョブの前記出力用紙の枚数に前記印刷済み枚数を加算した値と、前記上限枚数を比較する比較手段と、前記比較手段が、前記値が前記上限枚数を超えたと判定した場合、前記値が前記上限枚数以下となる、前記待機ジョブの印刷条件を提示する印刷条件提示手段と、を有することを特徴とする画像形成装置を提供する。
【発明の効果】
【０００９】
予約機能により待機中のジョブについて印刷条件の変更を可能とする画像形成装置及び出力用紙枚数管理方法を提供することができる。
【図面の簡単な説明】
【００１０】
【図１】画像形成装置の概略を説明する図の一例である。
【図２】画像形成装置を含むシステム構成図の一例である。
【図３】システムにおいて画像形成装置にジョブが登録される態様を説明する図の一例である。
【図４】画像形成装置の概略構成図の一例である。
【図５】画像形成装置、クライアントＰＣのハードウェア構成図の一例である。
【図６】画像形成装置の機能ブロック図の一例である。
【図７】操作パネルの正面図の一例である。
【図８】液晶タッチパネルに表示される操作画面の一例を示す図である。
【図９】クライアントＰＣのディスプレイに表示される印刷設定の画面の一例を示す図である。
【図１０】出力用紙の枚数の算出例を模式的に説明する図の一例である。
【図１１】画像形成装置が、出力用紙の枚数をカウントする手順を示すシーケンス図の一例である。
【図１２】液晶タッチパネルに表示される上限枚数設定画面の一例である。
【図１３】液晶タッチパネルに表示される操作画面の一例である。
【図１４】予約ジョブの管理を模式的に説明する図の一例である。
【図１５】印刷条件の変更テーブルの一例を示す図である。
【図１６】液晶タッチパネルに表示される印刷条件変更優先度設定画面の一例を示す図である。
【図１７】読み取りジョブ又は待機ジョブに対して上限カウントを超えない印刷条件の提示や変更手順を示すフローチャート図の一例である。
【図１８】次ジョブの出力用紙の枚数を確保する手順を示すフローチャート図の一例を示す。
【図１９】上限カウント設定手段が上限枚数を設定する手順を示すフローチャート図の一例である。
【図２０】変更提示画面等の一例を示す図である。
【図２１】次ジョブ確保画面の一例を示す図である。
【図２２】液晶タッチパネルに表示される実績割合変更画面の一例を示す図である。
【発明を実施するための形態】
【００１１】
以下、本発明を実施するための形態について図面を参照しながら説明する。
【実施例１】
【００１２】
〔概略〕
図１は、画像形成装置１００の概略を説明する図の一例である。画像形成装置１００の記憶装置には、予約機能が登録した複数のジョブが記憶されている。図１の表は、画像形成装置１００が登録したジョブのリスト（予約管理テーブル）を示す。
【００１３】
また、画像形成装置１００には、コスト削減等の要請から、出力用紙の上限枚数が設定されている。図示した上限枚数によると、ジョブ１０１〜ジョブ１０４までは上限枚数に到達することなく印刷が可能である。しかし、新規のジョブ１０５が実行されると、出力枚数が上限枚数を超えてしまう。
【００１４】
このような場合、画像形成装置１００は警告を表示して、ジョブ１０２〜１０５の印刷条件の変更を受け付ける。図ではジョブ１０２の印刷条件が条件３０２から条件３０２'に変更されている。印刷条件を変更することで、新規のジョブ１０５が実行されても、出力用紙の枚数を上限枚数以下に抑制することができる。
【００１５】
ジョブ１０５だけでなく待機中のジョブ１０２〜１０４の印刷条件を変更できる点が、本実施形態の画像形成装置１００の特徴の１つである。
【００１６】
なお、本実施形態のジョブは、主に、実行ステージの観点から、印刷中ジョブ、待機ジョブ、新規ジョブ（新規ジョブは読み取りジョブを経て待機ジョブになる）に分類され、総称して予約ジョブという。元のアプリケーションは問わないがいずれも印刷するステージを有するものとする。
【００１７】
〔構成〕
図２は、画像形成装置１００を含むシステム構成図の一例を示す。図ではクライアントＰＣ（Ｐｅｒｓｏｎａｌ  Ｃｏｍｐｕｔｅｒ）２００と画像形成装置１００とがネットワーク３００を介して接続されている。ネットワーク３００は、社内の小規模なＬＡＮ、レイヤ３スイッチを介して構成されたＶＬＡＮ（Virtual LAN）、ＷＡＮ、又は、インターネットなどである。
【００１８】
画像形成装置１００は、主に、プリンタ、コピー機、スキャナ装置及びＦＡＸ装置を統合したＭＦＰ（Multifunction Peripheral）であるが、プリンタとしての機能を有していれば予約印刷は可能である。実施形態では画像形成装置１００をコピー機として説明する。
【００１９】
ユーザが画像形成装置１００を直接操作して原稿をコピーする場合、印刷条件は操作パネルから入力され、画像形成装置１００が付随する書誌情報を生成する。
【００２０】
また、ユーザは、クライアントＰＣ２００上でアプリケーションソフトウェアを実行して、アプリケーションソフトウェアが生成した電子文書の印刷を、画像形成装置１００に要求することができる。この場合、印刷条件と書誌情報が電子文書と共に画像形成装置１００に送信される。
【００２１】
＜予約印刷のジョブ登録＞
図３は、このようなシステムにおいて画像形成装置１００にジョブが登録される態様を説明する図の一例である。図では、画像データが生成される態様に応じて、ジョブが登録される態様を記述している。
【００２２】
プロッタエンジンが印刷する画像データの生成には、スキャナエンジンが原稿をスキャンする場合と、ＰＣから電子文書（これも画像データに変換される）が送信される場合と、ＦＡＸエンジンがファクシミリにより送信された画像データを受信する場合と、がある。また、それらの画像データをプロッタエンジンが印刷する対象とするジョブが登録されるには、主に、ユーザが操作パネル７０を操作する場合とユーザがクライアントＰＣ２００を操作する場合がある。
【００２３】
画像形成装置１００が原稿をスキャンして画像データを生成した場合、典型的なジョブの登録操作は「コピー操作」であり、クライアントＰＣ２００が画像データを送信した場合の典型的なジョブの登録操作は「印刷要求」である。また、ＦＡＸ受信により画像データを生成した場合、ユーザは操作パネル７０もクライアントＰＣも操作することもなく、ジョブが登録される。
【００２４】
また、画像データがどのように生成されても、画像形成装置１００は記憶装置に画像データをスプールすることができる（スプールしないように設定することもできる）。図の「スプール後」とは、典型的なジョブの登録操作により画像データがスプールされることをいう。スプールされた画像データは、ユーザが操作パネル７０を操作しても、ＰＣを操作しても、ジョブを登録することができる。
【００２５】
例えば、ユーザは、操作パネル７０を操作して、スプールされた画像データ（どのように生成されたものでもよい）の一覧を表示させ、画像データを選択することで、ジョブを登録できる。
【００２６】
また、ＰＣには画像形成装置１００と通信して画像データの一覧を表示するプリンタユティリティがインストールされている。ユーザは、プリンタユティリティを操作して、スプールされた画像データ（どのように生成されたものでもよい）の一覧をクライアントＰＣ２００のディスプレイに表示させ、画像データを選択することで、ジョブを登録できる。
【００２７】
プロッタエンジンが印刷中の場合、画像形成装置１００に登録されるジョブは、自動的に予約ジョブ（新規ジョブの取り扱いは後述する）となる。
【００２８】
なお、ユーザが意識的に画像データと印刷条件を画像形成装置１００に登録しておくことも可能である。いわゆる「保留印刷」と呼ばれる機能である。この場合もスプールされた画像データと同様に扱うことができる。
【００２９】
また、画像データが物理的に記憶される場所は、必ずしも画像形成装置１００でない場合があるが、画像形成装置１００及びクライアントＰＣ２００には画像データ、印刷場所及び書誌情報の記憶場所が登録されている。
【００３０】
本実施形態では、ユーザが画像形成装置１００を操作して、印刷条件を変更する例を説明するが、クライアントＰＣ２００を操作して印刷条件を変更することもできる。
【００３１】
＜画像形成装置１００の構成＞
図４は、画像形成装置１００の概略構成図の一例を示す。コピーする場合、ユーザはまず、自動原稿送り装置（以後ＡＤＦ）１の原稿台２に原稿の画像面を上にして原稿束を載置する。コピー条件を設定して、ユーザが操作部７０上のスタートキー７４を押下すると、原稿束は、一番下の原稿から給送ローラ３、給送ベルト４によってコンタクトガラス６上の所定の位置に給送される。
【００３２】
ＡＤＦ１は、一枚の原稿の給送完了により原稿枚数をカウントアップするカウント機能を有している。給送されたコンタクトガラス６上の原稿は読み取りユニット５０によって読み取られ画像データに変換される。
【００３３】
読み取りが終了した原稿は、給送ベルト４及び排送ローラ５によって排出される。さらに、ＡＤＦ１が原稿セット検知センサ７にて原稿台２に次の原稿があることを検知した場合、一番下の原稿が同様にコンタクトガラス６上に給送される。給送ローラ３、給送ベルト４、排送ローラ５は搬送モータによって駆動される。
【００３４】
第１トレイ８、第２トレイ９及び第３トレイ１０は転写紙を積載している。転写紙は、各々第１給紙装置１１、第２給紙装置１２、第３給紙装置１３によって給紙され、縦搬送ユニット１４によって感光体１５に当接する位置まで搬送される。
【００３５】
書き込みユニット５７は、読み取りユニット５０にて読み込まれた画像データによりレーザを変調し、画像データの潜像を感光体１５に書き込む。潜像は、現像ユニット２７を通過することによってトナー像に現像される。
【００３６】
そして、転写紙は感光体１５の回転と等速で搬送ベルト１６によって搬送され、感光体１５上のトナー像とタイミングを合わせ搬送されることで、トナー像が転写紙に転写される。その後、定着ユニット１７にて画像を転写紙に定着させ、転写紙は排紙ユニット１８によって後処理装置のフィニシャ９９に排出される。
【００３７】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００３８】
感光体１５、搬送ベルト１６、定着ユニット１７、排紙ユニット１８、現像ユニット２７はメインモータによって駆動され、各給紙装置１１〜１３はメインモータの駆動を各々給紙クラッチによって伝達駆動される。縦搬送ユニット１４はメインモータの駆動を中間クラッチによって伝達駆動される。
【００３９】
後処理装置のフィニシャ９９は、本体の排紙ユニット１８によって搬送された転写紙を、通常排紙ローラ１０２方向と、ステープル台１０８の方向とに導く事ができる。
【００４０】
後処理装置のフィニシャ９９は、切り替え板１０１を上に切り替える事により、搬送ローラ１０３を経由して通常排紙トレイ１０４側に排紙する事ができる。また、切り替え板１０１を下方向に切り替える事で、搬送ローラ１０５、１０７を経由して、ステープル台１０８に搬送する事ができる。
【００４１】
ステープル台１０８に積載された転写紙は、一枚排紙される毎に紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイに収納される。  
また、中綴じステープルが製本方法に指定されている場合は、搬送ローラ１１５、１１６、１１７、１１８、１２２を経由して転写紙が搬送され、中綴じステープラ１２１によって中綴じステープルが実施される。中綴じステープラ１２１で閉じられた転写紙群は、搬送ローラ１２２によって断裁機１２３に搬送され、断裁処理が実施される。断裁機１２３で断裁された転写紙群は、中綴じステープル・断裁完了排紙トレイ１１０に排出される。
【００４２】
一方、通常の排紙トレイ１０４は前後に移動可能な排紙トレイである。前後に移動可能な排紙トレイ１０４は、原稿毎、あるいは、画像メモリによってソーティングされた一部毎に、前後に移動し、簡易的に排出されてくるコピー紙を仕分ける。
【００４３】
図５（ａ）は画像形成装置１００のハードウェア構成図の一例を、図５（ｂ）は、クライアントＰＣ２００のハードウェア構成図の一例を示す。画像形成装置１００は、内部バスにて接続されたＣＰＵ１７１、ＲＯＭ１７２、ＲＡＭ１７３、外部Ｉ／Ｆ１７４、通信カード１７５、パネル制御部１７６、スキャナエンジン制御部１７７、プロッタエンジン制御部１７８、ＦＡＸエンジン制御部１８３及び記憶装置１７９を有する。
【００４４】
ＣＰＵ１７１は、記憶装置１７９又はＲＯＭ１７２に記憶されたプログラムを、ＲＡＭ１７３を作業メモリとして実行することで画像形成装置１００の全体を制御する。外部Ｉ／Ｆ１７４はＵＳＢ等のケーブルや記憶媒体１６０を装着するインタフェースである。記憶媒体１６０は、ＵＳＢメモリ等のフラッシュメモリ、ＣＤ−ＲＯＭ等の光記憶媒体等である。
【００４５】
通信カード１７５は、ＬＡＮカードやイーサネット（登録商標）カードと呼ばれ、ＣＰＵ１７１からの指示によりクライアントＰＣ２００にパケットデータを送信し、また、クライアントＰＣ２００からパケットデータを受信する。
【００４６】
パネル制御部１７６は、操作パネル７０にＵＩを表示し、ＵＩのソフトキーやハード的なキーの操作を受け付ける。スキャナエンジン制御部１８１は、ユーザが操作パネル７０から設定した解像度などの読み取り条件を受け付け、読み取り条件に基づきスキャナエンジン１８１を制御する。スキャナエンジン１８１は、コンタクトガラスに載置された原稿を光学的に走査して、その反射光をＡ／Ｄ変換して画像処理を施し、所定の解像度のデジタルデータ（以下、画像データという）を生成する。
【００４７】
プロッタエンジン制御部１７８は、ユーザが操作パネル７０から設定した印刷枚数などの印刷条件を受け付け、印刷条件に基づきプロッタエンジン１８２を制御する。プロッタエンジン１８２は、例えばタンデム型の感光ドラムを有し、上記の画像データやクライアントＰＣ２００から受信した電子文書に基づきレーザビームを変調し感光ドラムを走査して潜像を形成する。潜像にトナーを付着して現像した１ページ毎の画像を用紙に熱と圧力で転写する。
【００４８】
記憶装置１７９は、例えばＨＤＤやフラッシュメモリなど、書き換え可能な不揮発メモリである。記憶装置１７９には、ＣＰＵが実行するアプリケーションプログラム、フォントデータ及び画像データが記憶されている。
【００４９】
また、記憶装置１７９には、印刷条件提案プログラム１９０が記憶されている。印刷条件提案プログラム１９０は、画像形成装置１００の印刷枚数が上限枚数に到達した際に、待機中のジョブの印刷条件を修正する。印刷条件提案プログラム１９０は、画像形成装置１００の出荷時に記憶装置１７９に記憶されていてもよいし、画像形成装置１００の出荷後に、記憶媒体１６０に記憶された状態で配布されてもよいし、ネットワーク３００上の不図示のサーバから配布されてもよい。
【００５０】
ＦＡＸエンジン制御部１８３は、ユーザが設定した宛先（ＦＡＸ番号、電子メールアドレス等）などの送信条件を受け付け、送信条件に基づきＦＡＸエンジン１８４を制御する。ＦＡＸエンジン１８４は、通信カード１０５を介してネットワーク３００に接続し例えばＴ.３７，Ｔ.３８の規格に対応した通信手順、又は、ＮＣＵ（Network Control Unit）を介して公衆通信網に接続し例えばＧ３、Ｇ４規格に対応した通信手順、に従い画像データの送受信を行う。また、画像形成装置１００の電源がＯＦＦのときに画像データを受信しても、プロッタエンジン１８２を起動して画像データを用紙に印刷することができる。
【００５１】
＜クライアントＰＣ２００の構成＞
クライアントＰＣ２００は、バスで相互に接続されているＣＰＵ２１１、ＲＯＭ２１２、ＲＡＭ２１４、外部Ｉ／Ｆ２１４、通信装置２１５、入力装置２１６、表示制御部２１７及び記憶装置２１８を有する。各ブロックにおいてと画像形成装置１００と同一ブロックの説明は省略する。
【００５２】
通信装置２１５は、ＣＰＵ２１１からの指示により画像形成装置１００に電子文書、印刷条件及び書誌情報を送信する。また、入力装置２１６は、ユーザの操作を受け付ける、キーボードやマウスなどである。表示制御部２１７はアプリケーションソフトウェア１３１の指示によりＧＵＩ等をディスプレイ２１９に表示する。
【００５３】
クライアントＰＣ２００の記憶装置２１８には、ＣＰＵ２１１が実行するアプリケーションソフトウェア（ワープロソフトウェア、ブラウザ等）１３１、プリンタユティリティ１３２、プリンタドライバ等が記憶されている。これらのプログラムは、クライアントＰＣ２００の出荷時に記憶装置２１８に記憶されていてもよいし、クライアントＰＣ２００の出荷後に、記憶媒体２２０に記憶された状態で配布されてもよいし、ネットワーク３００上の不図示のサーバから配布されてもよい。
【００５４】
プリンタユティリティ１３２は、クライアントＰＣ２００から画像形成装置１００に印刷要求する際のユーザインターフェイスとなるプログラムである。ユーザは、プリンタユティリティ１３２を介して、画像データを指定印刷することができる。
【００５５】
＜画像形成装置１００の機能＞
図６は、画像形成装置１００の機能ブロック図の一例を示す。図６の各機能ブロックは、ＣＰＵ１７１が印刷条件提案プログラム１９０を実行することで実現される各機能である。原稿ページ計測手段２０１は、読み取りユニット５０がスキャンした原稿ページ数又はＡＤＦ１を通紙した原稿ページ数から紙原稿のページ数を計測する。また、クライアントＰＣ２００から印刷要求があった場合、原稿ページ計測手段２０１は、書誌情報から原稿ページ数を抽出する。また、待機ジョブが存在する場合、待機ジョブのジョブ情報（書誌情報と印刷条件を含む）から原稿ページ数を抽出することができる。
【００５６】
印刷条件取得手段２０２は、ユーザが操作パネル７０から指示する印刷条件、及び、電子文書に関連づけられて登録されている印刷条件を取得する。また、印刷条件取得手段２０２は、待機ジョブの印刷条件を取得することもできる。
【００５７】
出力用紙カウント算出手段２０３は、原稿ページ計測手段２０１からの原稿ページ数、印刷条件取得手段２０２からの部数や印刷モード（両面/集約/製本などのモード設定）などの印刷条件を取得し、これらの情報から出力用紙の枚数を算出する。
【００５８】
印刷カウント記憶手段２０４は、画像形成装置１００のユーザ毎に、出力枚数の実績を記憶している。この数値は、装置の電源が切られても情報を保持する必要があるため、ハードディスク等の不揮発の記憶装置であることが望ましい。
【００５９】
上限カウント取得手段２０５は、管理者等によって設定された上限枚数や割合（後述する）を参照し、対象ユーザの上限枚数を取得する。
【００６０】
待機ジョブ情報取得手段２０６は、待機ジョブのジョブ情報を取得し、原稿ページ計測手段２０１や印刷条件取得手段２０２に必要な情報を提供する。
【００６１】
カウント比較手段２０７は、印刷カウント記憶手段２０４の出力用紙の枚数と、出力用紙カウント算出手段２０３が算出した出力用紙の枚数を合計したものと、上限カウント取得手段２０５の上限枚数を比較する。これにより、対象ユーザごとに出力用紙の枚数が上限枚数を超えるか否かを判断する。
【００６２】
印刷条件提示手段２０８は、出力用紙の枚数が上限枚数を超えると判定された場合、上限枚数を超えない印刷条件の提示や、これに伴う処理を行う。また、印刷条件提示手段２０８は、待機ジョブの印刷条件を変更する際に、優先的に提示される変更後の印刷条件の選択等を行う。各種警告画面表示も印刷条件提示手段２０８が実行する。
【００６３】
待機ジョブ情報変更手段２０９は、印刷条件提示手段２０８によって提示された変更内容を待機ジョブや新規ジョブに反映する。
【００６４】
ジョブ管理手段２２０は、ジョブの実行、ジョブ情報の登録、ジョブの遷移、等を管理し、予約管理テーブル５４０を更新する。
【００６５】
上限カウント設定手段２１０は、管理者用の上限枚数設定画面５０１等を提供すると共に、上限枚数に関し各ユーザや管理者が情報を入力する画面を提供する。
【００６６】
図７は、操作パネル７０の正面図の一例を示す。操作パネル７０は、液晶タッチパネル７１、テンキー７２、クリア／ストップキー７３、スタートキー７４、予熱キー７５、リセットキー７６、及び、初期設定キー７７が配置されている。
【００６７】
液晶タッチパネル７１には、ユーザの操作を受け付けるための機能キー（ボタンやソフトキーと呼ばれる）、部数、及び、画像形成装置１００の状態を示すメッセージなどが表示される。
【００６８】
ユーザが初期設定キー７７を押下することで、画像形成装置１００の初期状態を任意にカスタマイズすることが可能である。初期設定キー７７を押下することで、給紙トレイ８〜１０に積載されている転写紙の用紙サイズを設定したり、コピー機能のモードクリアキーを押したときに設定される状態を任意に設定可能である。また、一定時間操作が無いときに優先して選択されるアプリケーション等も選択するとか、国際エネルギースター計画に従った低電力への移行時間の設定や、オートオフ／スリープモードへの移行する時間を設定する事が可能である。
【００６９】
＜印刷条件の設定＞
図８は、液晶タッチパネル７１に表示される操作画面３０１の一例を示す図である。図８の操作画面３０１は、コピーアプリケーションの画面である。この操作画面３０１は、タブ欄３０２と、情報表示欄３０３と、読み取り設定欄３０４と、印刷設定欄３０５とを有する。タブ欄３０２には、これからコピー条件を設定する「新規」タブと、「印刷中」タブと、「待機１〜３」タブがある。情報表示欄３０３には、画像形成装置１００の状態を示すメッセージ（「印刷できます」）、原稿ページ数、ユーザにより設定された印刷ページ数、及び、コピーされたコピー数が表示される。
【００７０】
また、読み取り設定欄３０４は、「原稿種類」ボタン３０４１、「濃度設定」ボタン３０４２、及び、「原稿送り」ボタン３０４３を有する。ユーザは、「原稿種類」ボタン３０４１から原稿の種類（文字、写真、文字・写真等）を設定し、「濃度設定」ボタン３０４２から原稿の読み取り濃度を設定し、「原稿送り」ボタン３０４３から原稿の送り方を設定する。
【００７１】
印刷設定欄３０５では、ユーザは、転写紙の用紙サイズ、変倍指定、仕上げ設定（パンチ、ステープルの仕上げ方法）、印刷モード（両面/集約/製本などのモード）の設定ができる。この欄で設定される条件が印刷条件である。
【００７２】
ユーザが触れることで選択したボタンは、反転表示される等により、他のボタンと視覚的にユーザが判別できるようになっている。ユーザが、タブを操作すると、新規のジョブのコピー条件でなく、「印刷中」や「待機１〜３」のジョブの印刷条件が表示される。
【００７３】
図９は、クライアントＰＣ２００のディスプレイ２１９に表示される印刷設定の画面４０１の一例を示す。ここでは、主に本実施形態に関係の深い設定項目について説明する。図９（ａ）には、印刷範囲欄４０２と印刷部数欄４０３が設けられている。ユーザは入力装置を使って、印刷範囲欄４０２から１ページ以上の印刷範囲を設定でき、印刷部数欄４０３から１部以上の部数を設定できる。
【００７４】
図９（ｂ）は図９（ａ）から遷移した印刷設定の画面４０１の一例である。図９（ｂ）には、集約設定欄４０４と両面設定欄４０５が設けられている。ユーザは入力装置２１６を使って、集約設定欄４０４から集約印刷の際の集約数を設定でき、両面設定欄４０５から両面印刷や製本印刷の有無を設定できる。印刷部数欄４０３、集約設定欄４０４及び両面設定欄４０５で設定される条件が、出力用紙の枚数に関係する主な印刷条件である。
【００７５】
印刷範囲欄４０２で設定された原稿ページ数は書誌情報に含まれるとする。書誌情報には、電子文書のファイル名、電子文書を生成したアプリケーションソフトウェアの名称、日時等も含まれる。印刷条件及び書誌情報は、電子文書と共に画像形成装置１００に送信される。
【００７６】
＜出力用紙の枚数の算出＞
図１０は、出力用紙の枚数の算出例を模式的に説明する図の一例である。出力用紙の枚数は、原稿ページ数、部数、集約数及び両面印刷の有無により決定できる。出力用紙カウント算出手段２０３は、電子文書や紙原稿の原稿ページ数と、各ジョブの印刷条件から出力用紙の枚数に関連する項目（例えば、部数や両面/集約のモードなど）を参照し、出力用紙のカウント数を算出する。
【００７７】
原稿ページ数：電子文書の場合、電子文書に添付される書誌情報に含まれる。紙原稿の場合、ＡＤＦ１がカウントした原稿枚数が用いられる（両面に文書が記述された原稿を読み取る場合、ＡＤＦ１が１枚の原稿を２回カウントする）。すでにジョブが登録された待機ジョブの場合、ジョブ情報にこれらのいずれかの原稿ページ数が含まれる。
【００７８】
集約数、両面印刷：集約数が２の場合、原稿ページ数を定数１／２に、集約数が４の場合、原稿ページ数を定数１／４にする。両面印刷の場合、原稿ページ数を定数１／２にする。どちらも設定されている場合は、２つの定数をかける。なお、小数点未満は切り上げする。
【００７９】
製本印刷：製本印刷の場合、集約数２かつ両面印刷と同義なので、定数１／４をかける。
【００８０】
部数：原稿ページ数に以上の定数をかけた結果を部数で整数倍する。
【００８１】
その他：用紙サイズがＡ３サイズ以上の場合、Ａ３一枚を２枚とカウントする（ダブルカウント）。カラーモードを考慮して、モノクロ印刷は１枚、カラー印刷は２〜５枚のようにカウントすることもできる。
【００８２】
図１１は、画像形成装置１００が、出力用紙の枚数をカウントする手順を示すシーケンス図の一例である。図の前半は紙原稿の場合の出力用紙の枚数の算出を、後半は待機ジョブの場合の出力用紙の枚数の算出を、それぞれ示す。
【００８３】
紙原稿をスキャナが読み取るジョブの場合、原稿ページ計測手段２０１がADF１等から原稿ページ数を取得する（Ｓ１）。また、印刷条件取得手段２０２は操作パネル７０から印刷条件を取得する（Ｓ２）。
【００８４】
出力用紙カウント算出手段２０３は、原稿ページ数と印刷条件を両者からそれぞれ取得する（Ｓ３、Ｓ４）。
【００８５】
そして、出力用紙カウント算出手段２０３は、原稿ページ数と印刷条件から出力用紙の枚数をカウントする（Ｓ５）。例えば、原稿ページ数が６，両面あり、集約なし、部数１０の場合、
出力用紙の枚数＝（６×１／２）×１０＝３０枚  となる。
【００８６】
待機ジョブの場合、原稿ページ数や印刷条件はジョブ情報に含まれ、待機ジョブ情報取得手段２０６が、予約管理テーブル５４０に基づき、待機ジョブのジョブ情報を取得する。
【００８７】
このため、原稿ページ計測手段２０１が待機ジョブ情報取得手段２０６から原稿ページ数を取得する（Ｓ６）。原稿ページ計測手段２０１は原稿ページ数を出力用紙カウント算出手段２０３に送出する（Ｓ７）。
【００８８】
また、印刷条件取得手段２０２は待機ジョブ情報取得手段２０６から、印刷条件を取得する（Ｓ８）。印刷条件取得手段２０２は、印刷条件を出力用紙カウント算出手段２０３に送出する（Ｓ９）。
【００８９】
そして、出力用紙カウント算出手段２０３は、原稿ページ数と印刷条件から出力用紙の枚数をカウントする（Ｓ１０）。
【００９０】
＜上限枚数の設定＞
図１２は、液晶タッチパネル７１に表示される上限枚数設定画面５０１の一例である。管理者が初期設定キー７７を押下し、操作パネル７０から所定の操作を入力すると、上限枚数設定画面５０１が表示される。上限枚数の設定に関する機能は上限カウント設定手段２１０が提供する。
【００９１】
上限枚数設定画面５０１は、「取消」ボタン５０８、「設定」ボタン５０９、メッセージ「ジョブ使用量の割合を設定してください。」、「設定一覧」ボタン５０３、変更ボタン５０４〜５０６及び設定テーブル５０７を有する。図１２は、ユーザ毎の設定を想定しているが、部署毎又は画像形成装置１００毎の設定も可能である。
【００９２】
「設定一覧」ボタン５０３は、ユーザの一覧を表示するためのボタンである。設定テーブル５０７には、一例として、１ヶ月間を週毎に分割し、分割単位の各週毎の上限枚数の設定例が表示されている。この場合、管理者は１ヶ月間の上限枚数を設定することができる。図では「割合（％）」と表示されており、「割合（％）」に１ヶ月間の上限枚数を乗じると分割単位である各週の上限枚数が算出される。
【００９３】
例えば、管理単位の上限枚数を１００００枚とした場合、図示する割合では第1週の上限枚数が「４０００枚」、第２週の上限枚数が「２０００枚」、第３週の上限枚数が「１０００枚」、第４週の上限枚数が「１０００枚」、第５週の上限枚数が「２０００枚」、となる。
【００９４】
管理者は、テンキー７２を使って、第1週から第5週の割合を１％単位で設定することができる。上限カウント設定手段２１０は、合計が１００％になるように、管理者が設定した以外の週の数値を修正する。
【００９５】
なお、印刷カウント記憶手段２０４には、日付と対応づけて、ユーザの出力枚数が記憶されている。日付と対応づけることで、管理単位や分割単位の変更に柔軟に対応できる。
【００９６】
変更ボタン５０５は管理単位を、別の期間（例えば、１〜１０週間、１ヶ月〜１２ヶ月、１年等）に切り替えるためのボタンである。
図１２（ｂ）は、変更ボタン５０５が押下された際に、液晶タッチパネルに表示される上限枚数設定画面５１１の一例である。
【００９７】
上限枚数設定画面５１１は、メッセージ「管理単位を選択して下さい」、「年」ボタン５１４、「月」ボタン５１５、「週」ボタン５１６、月数の入力欄５１７、週数の入力欄５１８、「取消」ボタン５１２及び「設定」ボタン５１３を有する。管理者は各ボタンを押下したりテンキー7２を操作することで、自由に管理単位を設定できる。ユーザが「設定」ボタン５１３を押下すると、図１２（ａ）の上限枚数設定画面５０１に戻る。  
変更ボタン５０６は、分割単位を切り替えるためのボタンである。
図１２（ｃ）は、変更ボタン５０６が押下された際に、液晶タッチパネル７１に表示される上限枚数設定画面５２１の一例である。
【００９８】
上限枚数設定画面５２１は、メッセージ「分割単位を選択して下さい」、「月」ボタン５２４、「週」ボタン５２５、「取消」ボタン５２２及び「設定」ボタン５２１を有する。管理者は各ボタンを押下することで、分割単位を設定できる。管理者が「設定」ボタン５２１を押下すると、図１２（ａ）の上限枚数設定画面５０１に戻る。  
図１２（ｄ）は、管理単位が年、分割単位が月に設定された上限枚数設定画面５３１の一例である。図１２（ａ）と異なり、管理者は月毎に割合を設定することができる。管理者は、テンキー７２を使って、１月から１２月の割合をそれぞれ１％単位で設定することができる。上限カウント設定手段２１０は、合計が１００％になるように、管理者が設定した以外の月の数値を修正する。
【００９９】
なお、図では操作パネル７０に表示される上限枚数設定画面５０１、５１１，５２１、５３１を例示したが、管理者用ＰＣ４００のディスプレイにも表示可能である。この場合、管理者は管理者用ＰＣ４００のブラウザを立ち上げ、画像形成装置１００のＩＰアドレスを指定して、パスワードなどを入力することで画像形成装置１００にログインする。画像形成装置１００は上限枚数設定画面（例えば、ＨＴＭＬファイル、ＸＭＬファイル）を管理者用ＰＣ４００に送信するので、同様の操作性で管理者は上限枚数、割合、管理単位及び分割単位を画像形成装置１００に設定することができる。
【０１００】
＜予約ジョブの管理＞
図１３は、液晶タッチパネル７１に表示される操作画面３０１の一例である。図１３において図８と同一部の説明は省略する。
【０１０１】
「印刷中」タブには、プロッタエンジン１８２が印刷中の印刷中ジョブの印刷条件が表示される。「待機１〜３」タブには、待機中の待機ジョブの印刷条件が表示される。「新規」タブは、ユーザがコピー条件の設定中の操作画面３０１が表示される。ここで、ユーザがスタートキー７４を押下すると、新規ジョブが登録される。
【０１０２】
本実施形態では新規ジョブを、読み取りジョブと待機ジョブに分けて説明する。新規ジョブのうち、紙原稿の読み取り動作が終了し、画像データが確定するまでジョブを読み取りジョブと称することにして、画像データが確定した後のジョブを待機ジョブと称する。したがって、確定とは、一時的に（変更がなければそのままであるが）印刷条件が決定することをいう。
【０１０３】
また、すでに記憶装置１７９にスプールされた画像データを印刷する場合、ユーザが操作パネル７０で電子文書（画像データ）を指定してスタートキーを押下するまでが読み取りジョブである。すでに説明したように、この後、このジョブは待機ジョブとなる。
【０１０４】
上記のとおり、本実施形態では、印刷中ジョブ、待機ジョブ、新規ジョブを総称して「予約ジョブ」という場合がある。
【０１０５】
待機ジョブは、印刷中ジョブがなくなると順番に印刷中ジョブに遷移する。新規ジョブは、画像データが確定すると、読み取りジョブから待機ジョブに遷移する。なお、新規ジョブが、読み取りジョブから待機ジョブに遷移した直後から印刷中ジョブとなることもある（プロッタエンジン１８２が空いている場合）。
【０１０６】
図１４は、予約ジョブの管理を模式的に説明する図の一例である。ジョブ情報管理手段２２０は、コピーアプリケーションなどの各アプリケーションからジョブ情報を取得して、記憶装置１７９に記憶されている予約管理テーブル５４０に登録する。
【０１０７】
予約管理テーブル５４０には、ジョブ毎に、「状態」、「ジョブ番号」、「画像番号」、「印刷条件」「書誌情報」などが登録されている。「状態」は、印刷中ジョブ、待機ジョブ、新規ジョブの区別を示す。ジョブ管理手段２２０は、アプリケーションから印刷中ジョブの印刷の完了の通知を取得すると、待機ジョブの印刷をアプリケーションに要求し、「印刷中ジョブ」の消去、「待機ジョブ」の「印刷中ジョブ」への遷移を登録する。
【０１０８】
「ジョブ番号」は重複しない例えば連番である。「画像番号」は、記憶装置１７９における画像データの記憶場所（アドレス）と関連付けられている。「印刷条件」は、記憶装置１７９に記憶された各ジョブの記憶場所（アドレス）と関連付けられている。「書誌情報」は、記憶装置１７９に記憶された各ジョブの記憶場所（アドレス）と関連付けられている。
【０１０９】
このように、画像形成装置１００は、ジョブが特定されれば予約管理テーブル５４０から印刷に必要な情報にアクセスすることができる。
【０１１０】
＜印刷条件の変更テーブル＞
図１５は、印刷条件の変更テーブル５５０の一例を示す。印刷条件の変更テーブル５５０は、印刷条件の「対象機能」が「変更機能」に変更された場合の、出力用紙の枚数の「カウント差分」を、種々の「対象機能」と「変更機能」の組み合わせに応じて算出した結果を有するものである。この変更テーブル５５０は、予め、記憶装置１７９に記憶されている。
【０１１１】
印刷条件提示手段２０８は、変更テーブル５５０を参照して印刷条件の提示や動作変更を実行する。例えば、片面印刷から両面印刷に変更すると、カウント差分として出力用紙の枚数が１枚少なくてよいことが分かる。このようにテーブル上に登録しておくことで、印刷条件提示手段２０８が種々の「対象機能」を「変更機能」の組み合わせに応じて、出力用紙の枚数の減少数を計算する必要がなくなる。
【０１１２】
なお、「機能分類」は、出力用紙の枚数の減少を可能とする機能であり、「両面／集約」は、片面印刷を両面印刷に変更したことや、集約数を増やしたことを意味し、「カラー印刷」はカラー印刷をモノクロ印刷に変更したことを意味し、「用紙」はダブルカウントの用紙をシングルカウントの用紙に変更したことを意味する。
【０１１３】
変更テーブル５５０の「No.」は、印刷条件を変更しやすい順番を示しており（数が小さいほど変更しやすい）、後述する「印刷条件変更優先度設定画面」７０１の項目の並び順と対応している。「変更機能」の優先度は変更テーブル５５０の並びで判断されるものとする。なお、「印刷条件を変更しやすい」とは、変更による影響がより少ないという意味である。影響の感じ方はユーザによって異なるので、変更テーブル５５０の並びはユーザが変更できることが好ましい。
【０１１４】
＜ジョブ選択設定＞
図１６は、液晶タッチパネル７１に表示される印刷条件変更優先度設定画面７０１の一例を示す。管理者が初期設定キー７７を押下し、操作パネル７０から所定の操作を入力すると印刷条件変更優先度設定画面７０１が表示される。
【０１１５】
印刷条件変更優先度設定画面７０１は、印刷条件提示手段２０８が予約ジョブの印刷条件をどのように変更するかを設定する画面である。印刷条件変更優先度設定画面７０１で設定された変更態様を含む予約ジョブは、印刷条件が変更される。
【０１１６】
印刷条件変更優先度設定画面７０１には、メッセージ「印刷待機ジョブの印刷条件変更の優先度を設定します。下記項目のチェックボックスに記しがついたものが対象ジョブとして扱われます」、「ＯＫ」ボタン７０２、「前へ」ボタン７０３、「次へ」ボタン７０４が表示されている。
【０１１７】
印刷条件変更優先度設定画面７０１は、チェックボックスと対に変更態様（片面印刷を両面印刷に変更するなど）７０５が登録されている。この変更態様は変更テーブル５５０の「対象機能」と「変更機能」に相当する。例えば「両面印刷」がチェックされると、片面印刷（対象機能）を両面印刷（変更機能）に変更するという変更態様が設定されたことになり、「集約の面数増加」にチェックされると、集約機能の面数を増加するという変更態様が設定されたことになる。このように、印刷条件変更優先度設定画面７０１は、変更の前後の印刷条件を設定する画面である。
【０１１８】
そして、この変更態様のうち変更前の印刷条件が変更テーブル５５０の「対象機能」に、変更後の印刷条件が「変更機能」にそれぞれ相当する。例えば「両面印刷」に対しては、変更テーブル５５０のＮｏ．１、１０のレコードが対応し、「集約の面数増加（１）」に対しては、変更テーブル５５０のＮｏ．２、８のレコードが対応し、「集約の面数増加（２）」に対しては、変更テーブル５５０のＮｏ．９のレコードが対応する。また、No.5が「両面印刷」と「集約の面数増加（１）」が両方選択された場合に特定されるレコードとなるように、複数の変更態様により定まるレコードもある。
【０１１９】
ユーザは、「前へ」ボタン７０３と「次へ」ボタン７０４を操作して画面をスクロールさせ、印刷条件を見ながら、待機ジョブのうち変更してよい印刷条件を選択して、チェックボックスに触れることで記し（マーク）を設定する。
【０１２０】
後述するように、図１５の変更テーブル５５０の並びに従って、ジョブとして登録された順序に関係なく、待機ジョブがソートされる。印刷条件提示手段２０８がソートされた順番に、待機ジョブの印刷条件を変更することで出力用紙の枚数が上限カウントを下回った場合、そこで、待機ジョブの印刷条件の変更を中止してもよいし、全ての待機ジョブについて印刷条件を変更してもよい。
【０１２１】
＜動作手順＞
以下、画像形成装置１００の動作手順を、画面例を挙げて説明する。
図１７は、読み取りジョブ又は待機ジョブに対して上限カウントを超えない印刷条件の提示や変更手順を示すフローチャート図の一例である。なお、ユーザは、すでに画像形成装置１００にログインしており、画像形成装置１００はユーザ名等を特定している。
【０１２２】
この手順は、例えば、読み取りジョブの出力用紙の枚数が確定するとスタートする。したがって、例えば、ユーザがスタートキーを押下して、原稿の読み取りが完了した直後にスタートする。
【０１２３】
まず、カウント比較手段２０７が、上限カウントオーバーか否かを判定する（Ｓ１−１）。この判定のため、出力用紙カウント算出手段２０３は、上記の手順に従い読み取りジョブの出力用紙の枚数を算出する。出力用紙カウント算出手段２０３は、印刷中ジョブの出力用紙の枚数、待機ジョブの出力用紙の枚数も同様に算出する。
【０１２４】
カウント比較手段２０７は、３つの出力用紙の枚数を合計し、印刷カウント記憶手段２０４が記憶する出力用紙の枚数とさらに合計する。印刷カウント記憶手段２０４が記憶する出力用紙の枚数は、そのユーザが管理単位の間にすでに印刷した出力用紙の枚数である。
【０１２５】
また、上限カウント取得手段２０５は、上限カウント設定手段２１０が設定している、対象のユーザの上限枚数（例えば、分割単位の）を取得する。
【０１２６】
そして、カウント比較手段２０７は、合計された出力用紙の枚数の方が上限枚数よりも大きいか否かに基づき、上限カウントオーバーか否かを判定する。上限カウントオーバーでない場合（Ｓ１−１のＮｏ）、図１７の処理は終了する。
【０１２７】
上限カウントオーバーの場合（Ｓ１−１のＹｅｓ）、ジョブ管理手段２２０は、未参照の投入ジョブが存在するか否かを判定する （Ｓ１−２）。「投入ジョブ」とは、印刷条件の変更が可能なジョブ（待機ジョブ、読み取りジョブ）である。また、「参照」とは、印刷条件の変更が可能な否かを検討することである。
【０１２８】
未参照の投入ジョブがある場合（Ｓ１−２のＹｅｓ）、印刷条件提示手段２０８は、読み取りジョブが未参照か否か判定する（Ｓ１−３）。この判定は、読み取りジョブを優先的に参照するための判定であり、ステップＳ１−３の１回目の判定時はＹｅｓとなる。
【０１２９】
読み取りジョブが未参照の場合（Ｓ１−３のＹｅｓ）、印刷条件取得手段２０２は、読み取りジョブの印刷条件を記憶装置１７９から読み出し、その印刷条件が印刷条件変更優先度設定画面７０１で設定された「対象機能」の印刷条件に含まれているか否かを判定する（Ｓ１−４）。この判定により、印刷条件の変更により出力用紙の枚数を低減できるか否かが判明する。
【０１３０】
読み取りジョブの印刷条件が印刷条件変更優先度設定画面７０１で設定された「対象機能」の印刷条件に含まれていない場合（Ｓ１−４のＮｏ）、読み取りジョブの印刷条件を変更することができないので、処理はステップＳ１−１に戻り再度、ステップＳ１−３に進むことになる。
【０１３１】
読み取りジョブの印刷条件が印刷条件変更優先度設定画面７０１で設定された「対象機能」の印刷条件に含まれている場合（Ｓ１−４のＹｅｓ）、出力用紙カウント算出手段２０３は、印刷条件の変更テーブル５５０を参照し、変更テーブル５５０の「対象機能」のうち印刷条件に含まれる対象機能のレコードを読み出す。そして、読み取りジョブを、変更テーブル５５０の「変更機能」の印刷条件に変更した場合の出力用紙の枚数を算出する（Ｓ１−５）。これにより出力用紙の枚数が上限枚数以下となるか否かがわかる。
【０１３２】
そして、印刷条件提示手段２０８は、液晶タッチパネルに変更提示画面を表示する（Ｓ１−６）。図２０はいくつかの画面を例示して説明する図である。ステップＳ１−６では、図２０（ａ）の変更提示画面６０１が表示される。変更提示画面６０１には、メッセージ「読み取りジョブの印刷が上限枚数に達します。以下の印刷条件を変更すると、上限枚数内で印刷できます。変更しますか」６０４と表示されている。また、変更前の印刷条件である「対象機能」と変更後の印刷条件である「変更機能」が表示されている。なお、節約される（カウント差分）出力用紙の枚数を表示してもよい。
【０１３３】
読み取りジョブの印刷条件の変更では、上限枚数内で印刷できない場合は変更提示画面６０１を表示しなくてよい。この場合は、待機ジョブの印刷条件の変更処理に進むためである。
【０１３４】
この条件に変更する場合、ユーザは「はい」ボタン６０２を、変更しない場合「いいえ」ボタン６０３を押下する。
【０１３５】
印刷条件提示手段２０８は、ユーザの操作待ちとなり、ユーザが操作したら、印刷条件を変更するか否かを判定する（Ｓ１−７）。印刷条件提示手段２０８は、ユーザは「はい」ボタン６０２を押下すれば印刷条件を変更すると判定する（Ｓ１−７のＹｅｓ）。
【０１３６】
ユーザが「いいえ」ボタン６０３を押下した場合（Ｓ１−７のＮｏ）、印刷条件提示手段２０８は、印刷条件を図２０（ａ）に示す「変更機能」に変更しないと判定し、処理はステップＳ１−１に戻る。
【０１３７】
ユーザが「はい」ボタン６０２を押下した場合（Ｓ１−７のＹｅｓ）、印刷条件提示手段２０８は、印刷条件を図２０（ａ）に示す「変更機能」に変更すると判定する。このため、待機ジョブ情報変更手段２０９は、読み取りジョブの印刷条件を変更する（Ｓ１−８）。待機ジョブ情報変更手段２０９は、予約管理テーブル５４０を参照し、予約ジョブのジョブ情報の印刷条件にアクセスし、印刷条件を変更する。
【０１３８】
以上のようにして、読み取りジョブの印刷条件を変更することができた。
【０１３９】
次に、処理はステップＳ１−１に戻る。読み取りジョブの印刷条件の変更によっては、上限カウントオーバーが解消されない場合、未参照のジョブがあるか否かが判定される。待機ジョブがある場合、処理はステップＳ１−３に進む。
【０１４０】
読み取りジョブが未参照でない場合（Ｓ１−３のＮｏ）、印刷条件提示手段２０８は、印刷条件変更優先度設定画面７０１において待機ジョブを抽出するための変更態様が設定されたか否かを判定する（Ｓ１−９）。
【０１４１】
待機ジョブを抽出する変更態様が設定されている場合（Ｓ１−９のＹｅｓ）、待機ジョブ情報取得手段２０６は、変更態様の変更前の印刷条件を含む待機ジョブを検索する（Ｓ１−１０）。待機ジョブ情報取得手段２０６は、予約管理テーブル５４０を参照して全ての待機ジョブの印刷条件にアクセスし、待機ジョブを抽出するための変更態様を含む待機ジョブを全て検索する。
【０１４２】
この際、待機ジョブ情報取得手段２０６は、変更テーブル５５０を参照し、変更しやすい印刷条件の順番に待機ジョブをソートする。
【０１４３】
そして、待機ジョブ情報取得手段２０６は、変更態様の変更前の印刷条件を含む待機ジョブが検索にヒットしたか否かを判定する（Ｓ１−１１）。変更態様の変更前の印刷条件を含む待機ジョブが検索にヒットしない場合（Ｓ１−１１のＮｏ）、処理は、待機ジョブの印刷条件の変更を経ずに、Ｓ１−1の上限カウントオーバーの判断に戻る。この場合は、ステップＳ１−２でＮｏと判定され、処理はステップＳ１−１８に進む。
【０１４４】
変更態様の変更前の印刷条件を含む待機ジョブが検索にヒットした場合（Ｓ１−１１のＹｅｓ）、出力用紙カウント算出手段２０３は、検索で見つかった1以上の待機ジョブに対して、印刷条件変更優先度設定画面７０１で設定した変更後の印刷条件に変更した場合の出力用紙の枚数を算出する(Ｓ１−１２)。まず、ソートされた結果に基づき最も印刷条件を変更しやすい待機ジョブについて、変更後の印刷条件で出力用紙の枚数がカウントされる。
【０１４５】
次に、カウント比較手段２０７は、印刷条件の変更により待機ジョブと読み取りジョブの出力用紙の枚数の合計が、上限枚数を下回ったか否かを判定する(Ｓ１−１３)。
【０１４６】
上限枚数を下回っている場合（Ｓ１−１３のＹｅｓ）、印刷条件提示手段２０８は、液晶タッチパネルに変更提示画面６１１を表示する（Ｓ１−１４）。
【０１４７】
図２０（ｂ）（ｃ）は変更提示画面６１１、６２１の一例を示す。ステップＳ１−１４では、２つの変更提示画面６１１がある。図２０（ｂ）はユーザの許可なく強制的に待機ジョブの印刷条件を変更する場合の変更提示画面６１１であり、図２０（ｃ）はユーザの許可を受け付けて待機ジョブの印刷条件を変更する場合の変更提示画面６２１である。どちらが表示されるかは、予め初期設定キー７７から設定されている。
【０１４８】
図２０（ｂ）は図２０（ａ）と異なり、1以上の待機ジョブの、変更前の印刷条件である「対象機能」と変更後の印刷条件である「変更機能」が表示されている。また、待機ジョブのユーザを明示するため、「ログイン名」を含むメッセージ６１３が表示される。ユーザが「確認」ボタン６１２を押下すると、印刷条件提示手段２０８は印刷条件の変更を受け付ける。
【０１４９】
図２０（ｃ）では、「確認」ボタンでなく、メッセージ６２４、「はい」ボタン６２２及び「いいえ」ボタン６２３が表示される。ユーザが「はい」ボタン６２２を押下すると、印刷条件提示手段２０８は印刷条件の変更を受け付け、ユーザが「いいえ」ボタン６２３を押下すると、印刷条件提示手段２０８は印刷条件の変更を受け付けない。
【０１５０】
図１7に戻り、上限枚数を下回っていない場合（Ｓ１−１３のＮｏ）、印刷条件提示手段２０８は、液晶タッチパネルに優先度変更画面６３１を表示する（Ｓ１−１５）。
【０１５１】
図２０（ｄ）は、優先度変更画面６３１の一例を示す。優先度変更画面６３１には、メッセージ「読み取りジョブの印刷が上限枚数に達します。待機ジョブの印刷条件を変更しても、上限枚数に達します。変更しますか。印刷条件変更の優先度設定を変えて継続することもできます。」６３６、「はい」ボタン６３４、「いいえ」ボタン６３５、「優先度設定」ボタン６３２、及び、「変更詳細」ボタン６３３が表示されている。
【０１５２】
「優先度設定」ボタン６３２が押下された場合は、図１６の印刷条件変更優先度設定画面７０１が表示され、ユーザが操作パネル７０を操作して印刷条件を設定できる。「変更詳細」ボタン６３３は、変更の前後の印刷条件を表示するためのボタンである。
【０１５３】
印刷条件提示手段２０８は、ユーザが「はい」ボタン６２２、６３４、又は「いいえ」ボタン６２３、６３５のいずれを選択したか（印刷条件の変更を許可したか）を判定し（Ｓ１−１６）、印刷条件を変更する場合（Ｓ１−１６のＹｅｓ）、待機ジョブ情報変更手段２０９は、待機ジョブの印刷条件を変更する（Ｓ１−１７）。待機ジョブ情報変更手段２０９は、予約管理テーブル５４０を参照し、待機ジョブのジョブ情報の印刷条件にアクセスし、印刷条件を変更する。
【０１５４】
この後、印刷条件を変更しない場合（Ｓ１−１６のＮｏ）、処理はステップＳ１−１に戻る。この場合、未参照のジョブがあれば、ステップＳ１−９以下が実行される。すなわち、ソートされた次の優先順位の待機ジョブの印刷条件が変更される。
【０１５５】
ステップＳ１−２において、上限カウントオーバーであるが、未参照の投入ジョブがない場合、及び、待機ジョブの抽出の印刷条件が設定されていない場合（Ｓ１−９のＮｏ）、例えば印刷条件提示手段２０８は印刷中止画面６５１を表示して処理は終了する（Ｓ１−１８）。
【０１５６】
図２０（ｅ）は、印刷中止画面６５１の一例を示す。印刷中止画面６５１は、メッセージ「ジョブ印刷が上限枚数に達したので中止します。」「待機ジョブの印刷条件変更の優先度設定を変えると、ジョブを実行できる可能性があります。」６５３、及び、「確認」ボタン６５２が表示されている。
【０１５７】
ユーザが「確認」ボタン６５２を押下すると、予約管理テーブル５４０に、読み取りジョブはジョブとして登録されることなく、又は、印刷条件が登録されることなく、液晶タッチパネル７１は操作画面３０１に戻る。
【０１５８】
以上の処理により、待機ジョブの印刷条件を変更でき、出力用紙の枚数が上限カウントを下回るようにすることができる。
【実施例２】
【０１５９】
実施例１では図１７の処理ではユーザがジョブを登録する毎に、印刷条件を変更することができるが、ユーザが面倒に感じるおそれもある。そこで、予め次ジョブの印刷を確保するための処理について説明する。次ジョブとは、読み取りジョブとなっていない仮のジョブであり、実際には存在しないジョブである。
【０１６０】
＜次ジョブの処理＞
図１８は、次ジョブの出力用紙の枚数を確保する手順を示すフローチャート図の一例を示す。図１８は、図１７のステップＳ1−５〜Ｓ１−８がＳ２−１〜Ｓ２−８に置き換わっている。
【０１６１】
ステップＳ１−４において、読み取りジョブの印刷条件が印刷条件変更優先度設定画面７０１で設定された変更態様の変更前の印刷条件に含まれている場合（Ｓ１−４のＹｅｓ）、印刷条件提示手段２０８は、次ジョブの確保の設定が有効か否かを判定する（Ｓ２−１）。次ジョブの確保の設定とは、初期画面などから管理者が表示した画面において設定された、次ジョブを確保するか否かの設定内容をいう。
【０１６２】
次ジョブの確保の設定が有効の場合（Ｓ２−１のＹｅｓ）、出力用紙カウント算出手段２０３は、印刷条件の変更テーブル５５０を参照し、読み取りジョブの印刷条件が含まれる「対象機能」のレコードを読み出す。
【０１６３】
そして、読み取りジョブを、変更テーブル５５０の「変更機能」の印刷条件に変更した場合の出力用紙の枚数をカウントする（Ｓ２−２）。
【０１６４】
次に、印刷条件提示手段２０８は、液晶タッチパネル7１に変更提示画面６６１表示する（Ｓ２−３）。図２０（ｆ）は変更提示画面６６１の一例を示す。この変更提示画面６６１には、メッセージ「読み取りジョブの印刷が上限枚数に達します。読み取りジョブ、待機ジョブの印刷条件を変更しますか。次ジョブがある場合は、次ジョブの分を確保して印刷条件を変更します」６４６、「次ジョブ確保」ボタン６４２、「変更詳細」ボタン６４３、「はい」ボタン６４４と「いいえ」ボタン６４５が表示される。ユーザが「次ジョブ確保」ボタン６４２を押下すると、印刷条件提示手段２０８は、次ジョブの確保を受け付ける。
【０１６５】
ユーザが「はい」ボタン６４４を押下すると、印刷条件提示手段２０８は印刷条件の変更を受け付け、ユーザが「いいえ」ボタン６４５を押下すると、印刷条件提示手段２０８は印刷条件の変更を受け付けない。
【０１６６】
印刷条件提示手段２０８は、次ジョブの確保を受け付けたか否かを判定する（Ｓ２−４）。次ジョブの確保を受け付けない場合（Ｓ２−４のＮｏ）、処理はステップＳ２−７に進む。
【０１６７】
次ジョブの確保を受け付けた場合（Ｓ２−４のＹｅｓ）、印刷条件提示手段２０８は、次ジョブ確保画面７１１を表示する（Ｓ２−５）。
【０１６８】
図２１は、次ジョブ確保画面７１１の一例を示す。次ジョブ確保画面７１１には、「取消」ボタン７１２，「設定」ボタン７１３、メッセージ「確保したいジョブ量を設定してください。」と共に、「原稿ページ数」の入力欄７１４と「部数」の入力欄７１５が表示される。ユーザは、操作パネル７０を操作して、「原稿ページ数」と「部数」を入力することで、ジョブ量を確保することができる。
【０１６９】
また、次ジョブ確保画面７１１には、「詳細設定」ボタン７１６と共に、メッセージ「詳細設定ボタンを押すと、両面や集約／製本など、原稿枚数と印刷枚数が異なるものを設定できます。」が表示されている。次ジョブについてはこの「詳細設定」ボタン７１６の押下後に、ユーザが設定した両面や集約／製本などが印刷条件となる。このような設定を優先的に提示することで、出力枚数を抑制しやすくなる。
【０１７０】
仮に、ユーザが「詳細設定」ボタン７１６を押下しなかった場合、印刷条件として片面印刷が自動的に選択される。ユーザが「設定」ボタン７１２を押下すると画面は、図２０（ｆ）の変更提示画面６６１に戻る。
【０１７１】
次に、出力用紙カウント算出手段２０３は、変更テーブル５５０を参照し、ユーザが次ジョブ確保画面７１１で設定した次ジョブの印刷条件が含まれる「対象機能」のレコードを読み出す。そして、次ジョブの印刷条件のうち、印刷条件変更優先度設定画面７０１において設定された「対象機能」を「変更機能」に変更した場合の出力用紙の枚数をカウントする（Ｓ２−６）。
【０１７２】
印刷条件提示手段２０８は、「はい」ボタン６４４と「いいえ」ボタン６４５の入力待ち、すなわち印刷条件の変更を実施するか否かの入力待ちとなり（Ｓ２−７）、印刷条件変更を実施しないと入力された場合は、この処理は終了する。
【０１７３】
印刷条件変更を実施すると入力された場合は（Ｓ２−７のＹｅｓ）、待機ジョブ情報変更手段２０９は印刷条件を変更する（Ｓ２−８）。この場合、読み取りジョブと次ジョブの印刷条件が変更される場合と、これらに加え、読み取りジョブの印刷条件だけが変更される場合（Ｓ２−４のＮｏ）とがある。
【０１７４】
次ジョブが確保された場合、待機ジョブ情報変更手段２０９はジョブ管理手段２２０に次ジョブのジョブ情報を、予約管理テーブル５４０に登録するよう要求する。これにより、予約管理テーブル５４０には、次ジョブが確保された形で、次ジョブのジョブ情報が登録され、読み取りジョブと待機ジョブの印刷条件が変更される。
【０１７５】
次に処理はステップＳ１−１に戻り、上限カウントオーバーしている場合は（Ｓ１−１のＹｅｓ）、読み取りジョブが未参照でないことを条件に（Ｓ１−３Ｎｏ）、待機ジョブの印刷条件が変更される。この処理は実施例１と同様なので省略する。
【０１７６】
以上説明したように、本実施例の画像形成装置１００は、管理者が、予め、管理者用の画面から、上限カウントオーバーの場合に次ジョブの出力用紙の枚数を確保する手順を実行することを設定することができる。この設定により次ジョブの印刷条件の変更が有効になり、読み取りジョブの次のジョブの出力枚数を確保することができる。
【実施例３】
【０１７７】
＜上限枚数の割合の設定手順＞
すでに説明したように、管理者は上限枚数設定画面５０１等から、上限枚数を設定することができる。上限枚数に達した場合、この上限枚数を変更できれば、読み取りジョブや次ジョブを実行することができる。管理者は、予め、上限枚数設定画面５０１等において上限枚数をユーザが変更可能となるように設定しておくことができる。
【０１７８】
図１９は、上限カウント設定手段２１０が上限枚数を設定する手順を示すフローチャート図の一例である。図１９の手順は、例えば、上限枚数をオーバーした際や、ユーザが所望のタイミングで割合変更の処理を開始すると実行される。
【０１７９】
まず、上限カウント設定手段２１０は、上限カウントの割合の設定が行われているか否かを判定する（Ｓ３−１）。上限カウントの割合の設定が行われていない場合（Ｓ３−１のＮｏ）、処理は終了する。
【０１８０】
上限カウントの割合の設定が行われている場合（Ｓ３−１のＹｅｓ）、上限カウント記憶手段２０４は、実績の更新処理を行う（Ｓ３−２）。実績の更新処理とは、ジョブが完了する毎にユーザの過去の出力枚数を更新することである。本実施形態では、ユーザ毎に上限枚数を管理しているので、上限カウント記憶手段２０４は、ユーザ毎に出力枚数の実績を更新し、記憶装置１７９に記憶する。なお、この実績は、管理単位毎に初期化される。
【０１８１】
次に、上限カウント設定手段２１０は、実績が管理単位の途中までの上限枚数に対し余裕があるか否かを判定する（Ｓ３−３）。ステップＳ１−１の判定が管理単位に対する割合を上限枚数とするのに対し、ここでは管理単位の途中（例えば、第２週まで）の上限枚数に対し、ユーザの実績に余裕があるか否かが判定される。また、「余裕」とは、管理単位の上限枚数に対し実績の方が少ないことをいう。
【０１８２】
実績に余裕がない場合（Ｓ３−３のＮｏ）、割合の変更に意義がないので処理は終了する。
【０１８３】
実績に余裕がある場合（Ｓ３−３のＹｅｓ）、割合を変更することで上限枚数が増えるので、上限カウント設定手段２１０は、割合変更問い合わせ画面６６１を表示する（Ｓ３−４）。
【０１８４】
図２０（ｇ）は割合変更問い合わせ画面６６１の一例を示す。割合変更問い合わせ画面６６１には、メッセージ「読み取りジョブの印刷が上限枚数に達します。印刷実績が計画を下回っているため、余裕分を繰り越すことができます。割合設定を変更しますか。」６６５、「はい」ボタン６６３、「いいえ」ボタン６６４、及び、「変更詳細」ボタン６６２が表示されている。ユーザが「はい」ボタン６６３を押下すると、実績割合変更画面８０１が表示される。
【０１８５】
ユーザが「はい」ボタン６６３を押下した場合（Ｓ３−５のＹｅｓ）、上限カウント設定手段２１０は、実績割合変更画面８０１を表示して割合の変更を開始する（Ｓ３−６）。
【０１８６】
図２２は、液晶タッチパネルに表示される実績割合変更画面８０１の一例を示す。実績割合変更画面８０１は「取消」ボタン８０２、「設定」ボタン８０３、設定テーブル８０４を有する。設定テーブル８０４には、「設定値」（図１２で設定した割合）に対し、「使用実績」「実績反映後」が表示されている。
【０１８７】
説明のため、現在、第２週目が経過して第３週目に入っているとする。上限カウント設定手段２１０は、第１週、第２週の実績をそれぞれ統計して、「使用実績」が管理単位の２０％と１０％であると計算している。「設定値」はそれぞれ４０％と２０％であるので、使用実績に対し余裕がある。
【０１８８】
上限カウント設定手段２１０は、残りの使用可能割合（＝１００％−３０％）を、残りの複数の週に割り振って（例えば等分に）、実績割合変更画面８０１に表示する。図の「実績反映後」では、第３週が２０％、第４週が２０％、第５週が３０％となっている。これら３つの「実績反映後」の割合の合計は、使用可能割合の７０％と同じになる。
【０１８９】
本実施例では、第３週の「設定値」が１０％であるが、出力枚数が上限カウントオーバーしそうであるとする。しかし、ユーザにとっては、第３週の割合が１０％から２０％に増えたことになるので、管理単位の上限枚数に対しもう１０％の出力容易を印刷に使用できるようになった。
【０１９０】
なお、「実績反映後」の割合はユーザが項目を選択し、テンキーで値を入力することで、割合を修正することも可能である。ユーザが「設定」ボタン８０３を押下すると、割合変更問い合わせ画面に戻る。
【０１９１】
割合変更問い合わせ画面６６１にて、ユーザが「いいえ」ボタン６６４を押下し、実績割合変更画面８０１を表示しない場合（Ｓ３−５のＮｏ）、残りの使用可能割合は、自動的に残りの複数の週に割り振られる。
【０１９２】
以上の処理により、出力用紙の枚数が上限枚数を超えた場合でも、過去の実績に余裕があれば上限枚数を増やすことができるので、ユーザは印刷条件を変更することなく読み取りジョブを印刷することができる。
【符号の説明】
【０１９３】
７０        操作パネル
１００      画像形成装置
１７１      ＣＰＵ
１７２      ＲＯＭ
１７３      ＲＡＭ
１７４      外部Ｉ／Ｆ
１７５      通信カード
１７６      パネル制御部
１７７      スキャナエンジン制御部
１７８      プロッタエンジン制御部
１８３      ＦＡＸエンジン制御部
１７９      記憶装置
２００      クライアントＰＣ
２０１      原稿ページ計測手段
２０２      印刷条件取得手段
２０３      出力用紙カウント算出手段
２０４      印刷カウント記憶手段
２０５      上限カウント取得手段
２０６      待機ジョブ情報取得手段
２０７      カウント比較手段
２０８      印刷条件提示手段
２０９      待機ジョブ情報変更手段
２１０      上限カウント設定手段
２２０      ジョブ管理手段
【先行技術文献】
【特許文献】
【０１９４】
【特許文献１】特開２００９−２８３９９３号公報
【図１】
2012027266.tif 000003
【図２】
2012027266.tif 000004
【図３】
2012027266.tif 000005
【図４】
2012027266.tif 000006
【図５】
2012027266.tif 000007
【図６】
2012027266.tif 000008
【図７】
2012027266.tif 000009
【図８】
2012027266.tif 000010
【図９】
2012027266.tif 000011
【図１０】
2012027266.tif 000012
【図１１】
2012027266.tif 000013
【図１２】
2012027266.tif 000014
【図１３】
2012027266.tif 000015
【図１４】
2012027266.tif 000016
【図１５】
2012027266.tif 000017
【図１６】
2012027266.tif 000018
【図１７】
2012027266.tif 000019
【図１８】
2012027266.tif 000020
【図１９】
2012027266.tif 000021
【図２０】
2012027266.tif 000022
【図２１】
2012027266.tif 000023
【図２２】
2012027266.tif 000024